(57)【要約】【課題】スペーサーの使用数を軽減しつつ、サイディング材と無機系断熱材の間の通気空間を確保することができ、且つ、外壁パネル単体での防火性能を向上させることができる外壁パネルを提供する。【解決手段】  サイディング材２と、サイディング材２の裏面の周縁に固定される屋外側固定片４１，５１と、屋外側固定片４１，５１に対向して設けられる屋内側固定片４２，５２と、屋外側固定片４１，５１と屋内側固定片４２，５２の内周側の端縁同士を連結する連結片４３，５３とを有する枠材３と、サイディング材２から屋内側へ離間されて設けられる無機系断熱材７とを備え、連結片４３，５３は、切り起こし部４４，５４と、換気孔４５，５５とを有し、無機系断熱材７は、切り起こし部４４，５４に当接することによって保持され、且つ、屋内側固定片４２，５２に取り付けられる断熱材支持部材８によって屋内側へ脱落しないように支持されている外壁パネル１。【選択図】図１
2017082395.tif 000002
【特許請求の範囲】
【請求項１】
サイディング材と、
前記サイディング材の裏面の周縁に固定される屋外側固定片と、前記屋外側固定片より屋内側に対向して設けられる屋内側固定片と、前記屋外側固定片と前記屋内側固定片の内周側の端縁同士を連結する連結片とを有し、外周側が開口するように断面略コの字型に形成される枠材と、
前記サイディング材の屋内側に通気空間を形成するように前記サイディング材の裏面から屋内側へ離間されて設けられる無機系断熱材と、を備える外壁パネルであって、
前記連結片は、前記開口側の反対方向に突出するように切り起こしにより形成される切り起こし部と、前記通気空間と連通するように設けられる換気孔とを有しており、
前記無機系断熱材は、屋外側面の周縁側の一部が前記切り起こし部に当接することによって前記サイディング材の裏面から屋内側へ離間された状態で保持され、且つ、前記屋内側固定片に着脱自在に取り付けられる断熱材支持部材によって前記切り起こし部から屋内側へ脱落しないように支持されていることを特徴とする外壁パネル。
【請求項２】
前記サイディング材は、窯業系サイディング材であることを特徴とする請求項１に記載の外壁パネル。
【請求項３】
前記断熱材支持部材は、弾性を有しており、前記屋内側固定片に引掛けられることによって取り付けられる引掛部と、前記引掛部の基端側から連続して設けられ、前記引掛部が前記屋内側固定片に取り付けられた際に前記屋内側固定片の屋内側面に当接することによって、前記引掛部と共に前記屋内側固定片を挟み込む当接部と、前記当接部から略直交する方向に突出して設けられ、前記引掛部が前記屋内側固定片に取り付けられた際に前記連結片に当接する外れ防止部と、前記当接部から連続して設けられ、前記無機系断熱材の屋内側面の周縁側を屋外方向に押圧することによって前記無機系断熱材を支持する押圧部と、前記押圧部から略直交する方向に突出して設けられ、前記無機系断熱材に屋内側面から突き刺さる突起部とを備えることを特徴とする請求項１又は２に記載の外壁パネル。
【請求項４】
前記突起部は、先端が矢尻形状に形成されていることを特徴とする請求項３に記載の外壁パネル。
【請求項５】
前記押圧部は、前記当接部に対して所定角度だけ前記外れ防止部に近接する方向へ屈曲して形成されていることを特徴とする請求項３又は４に記載の外壁パネル。
【請求項６】
前記無機系断熱材が屋外側へ撓むことを防止し、前記サイディング材と前記無機系断熱材の間の前記通気空間を維持するスペーサーを備え、
前記スペーサーは、前記無機系断熱材の屋外側面から突き刺さることによって前記無機系断熱材に取り付けられる取付片と、前記取付片の基端側に設けられ、前記取付片が前記無機系断熱材に取り付けられた際に前記無機系断熱材の屋外側面に当接する規制面と、前記規制面から前記取付片の反対方向に突出するように設けられ、突出方向の寸法が前記通気空間の厚さと略同じ長さを有する支持片と、前記支持片の先端に設けられ、前記サイディング材の裏面に当接する支持面とを有することを特徴とする請求項１乃至５のいずれかに記載の外壁パネル。
【請求項７】
前記スペーサーは、前記無機系断熱材の幅方向の中心線上に位置するように所定間隔離して取り付けられることを特徴とする請求項６に記載の外壁パネル。
【発明の詳細な説明】
【技術分野】
【０００１】
本発明は、無機系断熱材を備える外壁パネルに関する。
【背景技術】
【０００２】
従来から、戸建て住宅の外壁構造として様々なものが提案されている。このような外壁には防火性が要求されており、例えば、外壁の防火（３０分）の認定を取得するには、外壁パネルだけでなく、躯体と内装の石膏ボード等を含めた形で防火の認定を取得している。また、外壁パネル単体での認定を取得するために、例えば、サイディング材の厚みを厚くすることによって防火の認定を取得している場合もある。
【０００３】
一方で、外壁パネルとしては、例えば、金属パネルの背面から離間させた状態で防火性のあるグラスウール等の断熱材を設けて、断熱材と金属パネルの背面との間に空気層を形成したものも提案されている（例えば、特許文献１参照）。
【先行技術文献】
【特許文献】
【０００４】
【特許文献１】特開２００１−１４０３８４号公報
【発明の概要】
【発明が解決しようとする課題】
【０００５】
しかしながら、特許文献１の外壁パネルでは、空気層を形成するために、金属パネルと断熱材の間に多数のスペーサーを設けることが必要となるため、生産効率が悪くなると共に、生産コストも増大するという問題がある。
【０００６】
本発明は、上記のような課題に鑑みてなされたものであって、スペーサーの使用数を軽減しつつ、サイディング材と無機系断熱材の間の通気空間を確保することができ、且つ、外壁パネル単体での防火性能を向上させることができる外壁パネルを提供することを目的とする。
【課題を解決するための手段】
【０００７】
上記目的を達成するために、本発明に係る外壁パネルは、サイディング材と、前記サイディング材の裏面の周縁に固定される屋外側固定片と、前記屋外側固定片より屋内側に対向して設けられる屋内側固定片と、前記屋外側固定片と前記屋内側固定片の内周側の端縁同士を連結する連結片とを有し、外周側が開口するように断面略コの字型に形成される枠材と、前記サイディング材の屋内側に通気空間を形成するように前記サイディング材の裏面から屋内側へ離間されて設けられる無機系断熱材と、を備える外壁パネルであって、前記連結片は、前記開口側の反対方向に突出するように切り起こしにより形成される切り起こし部と、前記通気空間と連通するように設けられる換気孔とを有しており、前記無機系断熱材は、屋外側面の周縁側の一部が前記切り起こし部に当接することによって前記サイディング材の裏面から屋内側へ離間された状態で保持され、且つ、前記屋内側固定片に着脱自在に取り付けられる断熱材支持部材によって前記切り起こし部から屋内側へ脱落しないように支持されていることを特徴としている。
【０００８】
また、本発明に係る外壁パネルは、前記サイディング材が、窯業系サイディング材であることを特徴としている。
【０００９】
また、本発明に係る外壁パネルは、前記断熱材支持部材が、弾性を有しており、前記屋内側固定片に引掛けられることによって取り付けられる引掛部と、前記引掛部の基端側から連続して設けられ、前記引掛部が前記屋内側固定片に取り付けられた際に前記屋内側固定片の屋内側面に当接することによって、前記引掛部と共に前記屋内側固定片を挟み込む当接部と、前記当接部から略直交する方向に突出して設けられ、前記引掛部が前記屋内側固定片に取り付けられた際に前記連結片に当接する外れ防止部と、前記当接部から連続して設けられ、前記無機系断熱材の屋内側面の周縁側を屋外方向に押圧することによって前記無機系断熱材を支持する押圧部と、前記押圧部から略直交する方向に突出して設けられ、前記無機系断熱材に屋内側面から突き刺さる突起部とを備えることを特徴としている。
【００１０】
また、本発明に係る外壁パネルは、前記突起部の先端が矢尻形状に形成されていることを特徴としている。
【００１１】
また、本発明に係る外壁パネルは、前記押圧部は、前記当接部に対して所定角度だけ前記外れ防止部に近接する方向へ屈曲して形成されていることを特徴としている。
【００１２】
また、本発明に係る外壁パネルは、前記無機系断熱材が屋外側へ撓むことを防止し、前記サイディング材と前記無機系断熱材の間の前記通気空間を維持するスペーサーを備え、前記スペーサーは、前記無機系断熱材の屋外側面から突き刺さることによって前記無機系断熱材に取り付けられる取付片と、前記取付片の基端側に設けられ、前記取付片が前記無機系断熱材に取り付けられた際に前記無機系断熱材の屋外側面に当接する規制面と、前記規制面から前記取付片の反対方向に突出するように設けられ、突出方向の寸法が前記通気空間の厚さと略同じ長さを有する支持片と、前記支持片の先端に設けられ、前記サイディング材の裏面に当接する支持面とを有することを特徴としている。
【００１３】
また、本発明に係る外壁パネルは、前記スペーサーが、前記無機系断熱材の幅方向の中心線上に位置するように所定間隔離して取り付けられることを特徴としている。
【発明の効果】
【００１４】
本発明に係る外壁パネルによれば、サイディング材の裏面から屋内側へ離間させて、軽量で且つ防火性能の高い無機系断熱材を設けているので、外壁パネル単体での防火性能の向上及び軽量化を図ることができると共に断熱性を向上させることができる。また、本発明に係る外壁パネルでは、サイディング材の裏面の周縁に固定される屋外側固定片と、屋外側固定片より屋内側に対向して設けられる屋内側固定片と、屋外側固定片と屋内側固定片の内周側の端縁同士を連結する連結片とを有し、外周側が開口するように断面略コの字型に形成される枠材を備えており、この枠材の連結片に形成されている切り起こし部によって無機系断熱材をサイディング材の裏面から屋内側へ離間された状態で保持し、且つ、屋内側固定片に着脱自在に取り付けられる断熱材支持部材によって切り起こし部から屋内側へ脱落しないように支持しているので、サイディング材と無機系断熱材の間にスペーサーを介設させてなくても通気空間を形成することができるため、スペーサーの使用を大幅に軽減することができる。これにより、サイディング材と無機系断熱材の間に多数のスペーサーを介設させる必要がないので、生産効率の向上及び生産コストの軽減を図ることができる。また、本発明に係る外壁パネルでは、サイディング材の裏面と無機系断熱材の間に通気空間を確保すると共に、枠材の連結片に通気空間と連通するように換気孔を設けて通気経路を形成することによってサイディング材の吸湿放湿に配慮しているので、サイディング材の耐久性を向上させることができる
【００１５】
また、本発明に係る外壁パネルによれば、サイディング材は、窯業系サイディング材であるので、防耐火性に優れており、外壁パネル単体での防火性能をより向上させることができると共に意匠性を向上させることができる。
【００１６】
また、本発明に係る外壁パネルによれば、断熱材支持部材は、弾性を有する引掛部が枠材の屋内側固定片に引掛けられることによって取り付けられるため、特別な治具等を用いることなく容易に着脱することができるので、生産効率をより向上させることができると共に、廃棄時等に断熱材の分離も容易に行うことができる。また、本発明に係る外壁パネルでは、引掛部が屋内側固定片に引掛部の基端側から連続して設けられ、引掛部が屋内側固定片に取り付けられた際に屋内側固定片の屋内側面に当接する当接部と、当接部から略直交する方向に突出して設けられ、引掛部が屋内側固定片に取り付けられた際に連結片に当接する外れ防止部とを備えているので、引掛部が屋内側固定片に取り付けられた後は、振動や衝撃等によって断熱材支持部材が外れてしまうことを防止することができる。
【００１７】
また、本発明に係る外壁パネルによれば、断熱材支持部材は、無機系断熱材の屋内側面の周縁側を屋外方向に押圧することによって無機系断熱材を支持する押圧部と、押圧部から略直交する方向に突出して設けられ、無機系断熱材に屋内側面から突き刺さる突起部とを備えているので、無機系断熱材が切り起こし部から屋内側へ脱落することを防止し、無機系断熱材をより確実に保持することができる。また、本発明に係る外壁パネルでは、引掛部が屋内側固定片に取り付けられた際に突起部が無機系断熱材に突き刺さるので、振動や衝撃等に対する抵抗力をより向上させることができ、断熱材支持部材が外れてしまうことをより確実に防止することができると共に、無機系断熱材が撓んで押圧部から抜けてしまうことを防止することができる。
【００１８】
また、本発明に係る外壁パネルによれば、突起部の先端が矢尻形状に形成されているので、突起部が無機系断熱材に突き刺さった後は、振動や衝撃等によって突起部が無機系断熱材から抜けてしまうことを防止することができる。これにより、押圧部によって無機系断熱材を支持した状態を維持することができるので、無機系断熱材の切り起こし部から屋内側への脱落をより確実に防止することができる。
【００１９】
また、本発明に係る外壁パネルによれば、押圧部は、当接部に対して所定角度だけ外れ防止部に近接する方向へ屈曲して形成されているので、断熱支持部材を屋内側固定片に取り付ける際に、引掛部及び当接部を弾性変形させた場合でも、押圧部から略直交する方向に突出して設けられる突起部を無機系断熱材の屋内側面に対して略垂直になるように調整することができるので、突起部を無機系断熱材の屋内側面から効率良く突き刺すことができる。
【００２０】
また、本発明に係る外壁パネルによれば、サイディング材と無機系断熱材の間にスペーサーを備えるので、高さ方向又は幅方向の寸法が大きい無機系断熱材をサイディング材の裏面から屋内側へ離間させて設ける場合でも、無機系断熱材が屋外側へ撓むことによってサイディング材の裏面に接触することを防止し、確実に通気空間を維持することができる。また、スペーサーは、無機系断熱材の屋外側面から突き刺さることによって無機系断熱材に取り付けられる取付片と、取付片の基端側に設けられ、取付片が無機系断熱材に取り付けられた際に無機系断熱材の屋外側面に当接する規制面と、規制面から取付片の反対方向に突出するように設けられ、突出方向の寸法が通気空間の厚さと略同じ長さを有する支持片と、支持片の先端に設けられ、サイディング材の裏面に当接する支持面とを有しているので、予め取付片を突き刺しておいた状態の無機系断熱材を枠材の連結片に形成されている切り起こし部によってサイディング材の裏面から屋内側へ離間された状態で保持させることにより、通気空間を維持しつつ、効率良く組み立てることができるので、生産効率を向上させることができる。
【００２１】
また、本発明に係る外壁パネルによれば、スペーサーは、無機系断熱材の幅方向の中心線上に位置するように所定間隔離して取り付けられるため、高さ方向の寸法が大きい無機系断熱材をサイディング材の裏面から屋内側へ離間させて設ける場合でも、必要最小限のスペーサーを用いるだけで良いので、スペーサーの使用数を軽減しつつ、通気空間を維持することができる。これにより、サイディング材と無機系断熱材の間に必要以上のスペーサーを介設させる必要がないので、生産効率の向上及び生産コストの軽減を図ることができる。
【図面の簡単な説明】
【００２２】
【図１】本発明の実施形態に係る外壁パネルの一例を示す概略水平断面図である。
【図２】本発明の実施形態に係る外壁パネルの一例を示す概略背面図である。
【図３】図２におけるＡ−Ａ線断面図である。
【図４】図２におけるＢ−Ｂ線断面図である。
【図５】本発明の実施形態に係る外壁パネルが左右に並設されて形成される縦目地周辺の一例を示す概略水平断面図である。
【図６】発明の実施形態に係る外壁パネルが上下に並設されて形成される横目地周辺の一例を示す概略垂直断面図である。
【図７】断熱材支持部材の一例を示す概略斜視図である。
【図８】スペーサーの一例を示す概略斜視図である。
【発明を実施するための形態】
【００２３】
以下、本発明の実施形態に係る外壁パネルについて、図面を参照しつつ説明する。本発明に係る外壁パネル１は、主に工場内で生産され、現場で建物の軸組等の躯体に取り付けられることによって外壁として構成されるものであって、図１に示すように、サイディング材２と、サイディング材２の裏面（屋内側の面）の周縁に固定される枠材３と、サイディング材２の屋内側に通気空間６を形成するために、サイディング材２の裏面から屋内側へ離間されて設けられる無機系断熱材７と、枠材３に取り付けられた状態で無機系断熱材７を支持する断熱材支持部材８と、サイディング材２と無機系断熱材７の間の通気空間６を維持するためのスペーサー９等を備えている。
【００２４】
サイディング材２は、例えば、窯業系サイディング材であって、矩形板状に形成されている。このサイディング材２の裏面の周縁には、図１〜６に示すように、枠材３がネジ等の固定具１０によって固定されている。枠材３は、例えば、外壁強度の確保や軸組等の躯体へ固定するための鉄枠であって、左右に位置する縦方向に長尺な一対の縦方向枠材４と、上下に位置する横方向に長尺な一対の横方向枠材５とによって一体として矩形枠状に形成されている。
【００２５】
縦方向枠材４及び横方向枠材５は、それぞれサイディング材２の裏面の周縁に固定される屋外側固定片４１，５１と、屋外側固定片より屋内側に対向して設けられる屋内側固定片４２，５２と、屋外側固定片４１，５１と屋内側固定片４２，５２の内周側の端縁同士を連結する連結片４３，５３とを有しており、外周側が開口するように断面略コの字型に形成されている。つまり、枠材３では、縦方向枠材４は、図５に示すように、外壁パネル１を左右に並設させた際に外壁パネル１間に形成される縦目地１１方向側が開口し、横方向枠材５は、図６に示すように、外壁パネル１を上下に並設させた際に外壁パネル１間に形成される横目地１２方向側が開口するようにサイディング材２の裏面の周縁に固定されている。
【００２６】
屋外側固定片４１，５１は、図５及び図６に示すように、それぞれサイディング材２の上下端面及び両側端面と面一になるように、外周側の端部を屋内側へ折り曲げて形成される第１折り曲げ部４６，５６と、第１折り曲げ部４６，５６の屋内側の先端を更に内側に折り曲げて形成される第２折り曲げ部４７，５７とを有している。このように縦方向枠材４の屋外側固定片４１に第１折り曲げ部４６を設けることによって、サイディング材２が厚みのない窯業系サイディング材の場合でも、図５に示すように、縦目地１１から屋内側への雨水等の浸入を防止するために一次防水材として縦目地１１に充填される縦目地シーリング材１３よりも屋内側に、縦目地シーリング材１３をバックアップすると共に、縦目地シーリング材１３の不具合等によって縦目地シーリング材１３を通過してきた水が屋内側へと浸入することを防止するための二次防水材として機能する縦目地シーリングバックアップ材１５を圧入させることができる。また、同様に横方向枠材５の屋外側固定片５１にも第１折り曲げ部５６を設けることによって、サイディング材２が厚みのない窯業系サイディング材の場合でも、図６に示すように、横目地１２から屋内側への雨水等の浸入を防止するために一次防水材として横目地１２に充填される横目地シーリング材１４よりも屋内側に、横目地シーリング材１４をバックアップすると共に、横目地シーリング材１４の不具合等によって横目地シーリング材１４を通過してきた水が屋内側へと浸入することを防止するための二次防水材として機能する横目地シーリングバックアップ材１６を圧入させることができる。
【００２７】
縦目地シーリング材１３及び横目地シーリング材１４は、それぞれ縦目地１１及び横目地１２に充填されることにより、縦目地１１及び横目地１２の防水性を確保するものであり、縦目地シーリング材１３及び横目地シーリング材１４としては、例えば、ポリウレタン系、シリコン系、ポリサルファイド系等の従来公知の湿式のシーリング材を用いることができる。また、縦目地シーリングバックアップ材１５は、縦目地シーリング材１３よりも縦目地１１の屋内側に圧入される目地材であって、例えば、縦目地１１の目地幅よりも幅狭で、弾性を有する樹脂等によって扁平な帯状に形成され、縦目地シーリング材１３をバックアップするバックアップ部と、縦目地シーリング材１３から浸入してくる雨水等を防水するように縦目地を塞ぐと共に、下方へ流す縦排水空間を形成する縦目地止水部とを有している。また、横目地シーリングバックアップ材１６にも縦目地シーリングバックアップ材１５と同種の部材を用いることができる。
【００２８】
また、枠材３の上部側に位置する横方向枠材５ａの第２折り曲げ部５７には、図６に示すように、横目地防水材１７が取り付けられている。この横目地防水材１７は、横方向枠材５ａの第２折り曲げ部５７に嵌め込むことによって取り付けられる嵌め込み部と、横目地シーリングバックアップ材１６よりも屋内側に位置し、横目地シーリングバックアップ材１６裏を通る水を横方向へ案内して、縦目地シーリングバックアップ材１５裏を伝わせて流すための傾斜部とを有している。嵌め込み部は、例えば、プラスティックや金属等の硬質材によって、内側の溝部の厚みが第２折り曲げ部５７の厚みと略同一になるように、断面略コ字形に形成されている。傾斜部は、例えば、弾性を有する樹脂によって形成されており、屋外方向へ向って下り勾配の傾斜面を有している。この傾斜部は、屋外方向に向かって傾斜面の高さが徐々に低くなるように、断面が屋内側に凸の弧状に湾曲した形状になっている。
【００２９】
このような横目地防水材１７は、例えば、傾斜部を屋内側へ捲り上げた状態で、下から嵌め込み部の溝部を第２折り曲げ部５７に嵌め込み、傾斜部を元の状態に戻すことにより横方向枠材５ａに取り付けられる。また、横目地防水材１７は、詳しくは図示しないが、幅方向の長さが、外壁パネル１の幅と一致又は若干外壁パネル１よりはみ出して位置するように設計されている。傾斜部の屋外側先端部は、図６に示すように、横目地シーリングバックアップ材１６によって、下側のサイディング材２の上端面及び第１折り曲げ部５６に押し付けられた状態で固定される。また、外壁パネル１では、人が運搬する際等に手で掴み易いように第２折り曲げ部４７，５７が５ｍｍ以上の寸法に形成されていることが好ましい。
【００３０】
縦方向枠材４及び横方向枠材５の連結片４３，５３は、図１及び図６に示すように、それぞれ開口側の反対方向に突出するように切り起こしによって形成される切り起こし部４４，５４と、通気空間６と連通するように設けられる換気孔４５，５５とを有している。切り起こし部４４，５４は、それぞれ連結片４３，５３に対して略直交する方向に突出するように切り起こされている。また、換気孔４５，５５は、それぞれ切り起こし部４４，５４を形成するために切り起こされた元の部分に形成される。
【００３１】
換気孔４５，５５の幅方向の寸法Ｗ１は、例えば、６０〜１００ｍｍに設計されており、奥行き方向の寸法は、サイディング材２の裏面から無機系断熱材７の屋外側面までの距離である通気空間の厚みの半分以上になるように設計されている。換気孔４５は、図４に示すように、縦方向に間隔Ｈ１毎に設けられている。この換気孔４５が設けられる間隔Ｈ１は、例えば、５００〜６００ｍｍ程度に設定されることが好ましく、高さが約３０００ｍｍのサイディング材２を用いる場合には、縦方向枠材４の連結片４３に６個程度の換気孔４５が形成されることが好ましい。
【００３２】
また、換気孔５５は、図３に示すように、横方向に間隔Ｗ１毎に設けられている。この換気孔５５が設けられる間隔Ｗ１は、通気空間６と連通することによって形成される通気経路をより多く確保するために、縦方向枠材４の換気孔４５よりも間隔が密になるように設けられており、例えば、１２０〜１８０ｍｍ程度に設定されることが好ましく、幅が約１０００ｍｍのサイディング材２を用いる場合には、横方向枠材５の連結片５３に６個程度の換気孔５５が形成されることが好ましい。このように横方向枠材５の連結片５３に設ける換気孔５５の間隔Ｗ１を密にすることによって、切り起こし部５４も換気孔５５と同様に間隔Ｗ１毎に形成されることになり、後述するように切り起こし部５４によって縦長の無機系断熱材７であっても安定的に支持することができる。
【００３３】
尚、換気孔４５，５５の寸法や間隔は、これらに限定されるものではなく、サイディング材２の大きさや材質等に応じて適宜設定するようにしても良い。また、換気孔４５，５５は、切り起こし部４４，５４が形成されることによって設けられるものであるので、切り起こし部４４，５４も換気孔４５，５５と略同等の大きさに形成される。
【００３４】
無機系断熱材７は、図１〜６に示すように、サイディング材２の裏面から屋内側へ離間されて設けられるものであって、例えば、軽量且つ防火性能の高いグラスウールやロックウール等を好適に用いることができる。この無機系断熱材７は、図１に示すように、屋外側面の周縁側の一部が枠材３に形成されている切り起こし部４４，５４に当接させることによってサイディング材２の裏面から屋内側へ離間された状態で保持され、且つ、縦方向枠材４の屋内側固定片４２に着脱自在に取り付けられる複数の断熱材支持部材８によって切り起こし部４４，５４から屋内側へ脱落しないように支持されている。
【００３５】
断熱材支持部材８は、例えば、弾性を有するようにステンレス等の金属材料又は樹脂材料によって形成されており、図１及び図７に示すように、屋内側固定片４２に着脱自在に取り付けられる引掛部８１と、引掛部８１の基端側から連続して設けられる当接部８２と、当接部８２から略直交する方向に突出して設けられる外れ防止部８３と、当接部８２から連続して設けられる押圧部８４と、押圧部８４から略直交する方向に突出して設けられる突起部８５とを備えている。
【００３６】
引掛部８１は、屋内側固定片４２に引掛けられることによって取り付けられるものであって、途中で屈曲するように形成されており、弾性変形していない状態の場合には、屈曲部８８が当接部８２の中央に形成されている開口部８６内に若干挿入されるようになっている。この引掛部８１を屋内側固定片４２に取り付ける際には、屈曲部８８を当接部８２から離れる方向に引掛部８１を弾性変形させて、屋内側固定片４２に引掛ける。
【００３７】
また、当接部８２は、引掛部８１の基端側から連続して設けられており、中央部に略長方形状で引掛部８１よりも若干幅広の開口部８６が形成されている。この当接部８２は、図１に示すように、引掛部８１が屋内側固定片４２に取り付けられた際に屋内側固定片４２の屋内側面に当接する。これにより、断熱材支持部材８は、引掛部８１と当接部８２の弾性力で屋内側固定片４２を挟み込むことによって、屋内側固定片４２に固定される。
【００３８】
外れ防止部８３は、当接部８２から略直交する方向に突出して設けられるものであって、例えば、当接部８２の一部を切り起こすことによって形成される。この外れ防止部８３は、図１に示すように、引掛部８１が屋内側固定片４２に取り付けられた際に連結片４３に当接する。これにより、引掛部８１が屋内側固定片４２に取り付けられた後は、外れ防止部８３が連結片４３に当接しているため、振動や衝撃等によって引掛部８１が屋内側固定片４２から外れてしまうことを防止することができる。
【００３９】
押圧部８４は、当接部８２の先端側から連続して設けられており、当接部８２に対して所定角度だけ外れ防止部８３に近接する方向へ屈曲して形成されている。また、押圧部８４の中央部には、略正方形状に切り欠けられた切欠部８７が形成されている。この押圧部８４は、図１に示すように、切り起こし部４４，５４によってサイディング材２の裏面から屋内側へ離間された状態で保持されている無機系断熱材７の屋内側面の周縁側を屋外方向に押圧することによって、無機系断熱材７が屋内側へ脱落しないように支持している。
【００４０】
突起部８５は、押圧部８４から略直交する方向に突出して設けられるものであって、例えば、押圧部８４の一部を切り起こした後に切削加工等を施すことによって形成される。この突起部８５は、図１に示すように、引掛部８１が屋内側固定片４２に取り付けられた際に無機系断熱材７に屋内側面から突き刺さるようになっている。突起部８５は、図７に示すように、先端が矢尻形状に形成されており、無機系断熱材７に突き刺さった後は、振動や衝撃等によって無機系断熱材７から抜けてしまうことを防止することができる。これにより、押圧部８４によって無機系断熱材７を支持した状態を維持することができるので、無機系断熱材７の屋内側への脱落をより確実に防止することができる。尚、断熱支持部材８の形状は、図７に示す形状に限定されるものではなく、切り起こし部４４，５４によってサイディング材２の裏面から屋内側へ離間された状態で保持されている無機系断熱材７が屋内側へ脱落しないように支持できるものであれば良い。
【００４１】
このような断熱材支持部材８は、図２に示すように、縦方向枠材４の屋内側固定片４２の縦方向に間隔Ｈ２毎に取り付けられる。この断熱材支持部材８が取り付けられる間隔Ｈ２は、安定的に無機系断熱材７を支持するために、例えば、１４００ｍｍ以下に設定されることが好ましい。尚、断熱材支持部材８が取り付けられる間隔Ｈ２は、これに限定されるものではなく、無機系断熱材７の大きさ等に応じて、適宜設定するようにしても良い。また、図２では、断熱材支持部材８を縦方向枠材４の屋内側固定片４２のみに取り付ける例を示しているが、図６に示すように、横方向枠材５の屋内側固定片５２にも取り付けることも可能である。
【００４２】
スペーサー９は、無機系断熱材７が屋外側へ撓むことを防止し、サイディング材２と無機系断熱材７の間の通気空間６を維持するためのものであって、図１及び図８に示すように、無機系断熱材７の屋外側面から突き刺さることによって無機系断熱材７に取り付けられる取付片９１と、取付片９１の基端側に設けられる規制面９２と、規制面９２から取付片９１の反対方向に突出するように設けられる支持片９３と、支持片９３の先端に設けられる支持面９４とを備えている。
【００４３】
取付片９１は、規制面９２から略直交する方向に突出して設けられており、先端が矢尻形状に形成されている。これにより、スペーサー９は、取付片９１が無機系断熱材７の屋外側面から突き刺さることによって取り付けられた後は、振動や衝撃等によって無機系断熱材７から抜けてしまうことを防止することができる。
【００４４】
規制面９２は、図１に示すように、取付片９１が無機系断熱材７に取り付けられた際に無機系断熱材７の屋外側面に当接することによって、取付片９１が無機系断熱材７に必要以上に突き刺さることを規制する。この規制面９２の両端側には、無機系断熱材７の屋外側面に当接する面積を増やすことで、スペーサー９を無機系断熱材７に安定して支持できるように、支持面９４と逆方向に突出する突出片９５がそれぞれ形成されている。
【００４５】
支持片９３は、図１に示すように、規制面９２から取付片９１の反対方向に突出するように設けられており、突出方向の寸法が通気空間６の厚さと略同じ長さを有している。支持面９４は、支持片９３の先端に設けられており、例えば、支持片９３の先端側を折り曲げることによって形成される。この支持面９４は、図１に示すように、サイディング材２の裏面に当接することによって、規制面９２に当接している無機系断熱材７が屋外側へ撓むことを防止し、サイディング材２と無機系断熱材７の間の通気空間６を維持することができる。
【００４６】
このようなスペーサー９は、例えば、図２に示すように、無機系断熱材７の幅方向の中心線Ｌ上に位置するように所定間隔Ｈ３だけ離して無機系断熱材７の屋外側面から取付片９１が突き刺されることによって取り付けられている。このスペーサー９が取り付けられる所定間隔Ｈ３は、無機系断熱材７が屋外側へ撓むことを防止するために、例えば、１０００ｍｍ以下に設定されることが好ましい。尚、スペーサー９が取り付けられる位置及び間隔Ｈ３は、これに限定されるものではなく、無機系断熱材７の大きさ等に応じて、適宜設定するようにしても良い。
【００４７】
このような外壁パネル１は、例えば、図５に示すように、建物の構造躯体を構成する軸組１８に取付用金具１９を用いて固定されることによって外壁として形成される。ここでは、左右に隣接する外壁パネル１は、枠材３の屋内側固定片４２を内側から押さえる取付用金具１９によって、軸組１８に取り付けられている。
【００４８】
以下、外壁パネル１の生産工程の一例について図面を参照しつつ説明する。まず、図２に示すように、スペーサー９を無機系断熱材７の幅方向の中心線Ｌ上に位置するように所定間隔Ｈ３だけ離して屋外側面から取付片９１を突き刺すことによって無機系断熱材７に取り付ける。
【００４９】
次に、サイディング材２の裏面の周縁に固定されている枠材３が表側に現れるように、サイディング材２を裏向けにした状態で、図１に示すように、スペーサー９が取り付けられている無機系断熱材７の周縁が枠材３の切り起こし部４４，５４に当接して保持されるように枠材３内に嵌め込む。これにより、サイディング材２と無機系断熱材７の間に通気空間６が形成される。
【００５０】
そして、図１及び図２に示すように、縦方向枠材４の屋内側固定片４２に複数の断熱材支持部材８を取り付けて、無機系断熱材７が切り起こし部４４，５４から屋内側へ脱落しないように支持することによって外壁パネル１が生産される。このように本発明に係る外壁パネル１では、切り起こし部４４，５４によって無機系断熱材７をサイディング材２の裏面から屋内側へ離間された状態で保持し、且つ、屋内側固定片４２に着脱自在に取り付けられる断熱材支持部材８によって切り起こし部４４，５４から屋内側へ脱落しないように支持することで、通気空間６を形成することができる。これにより、外壁パネル１では、無機系断熱材７の大きさ等に応じて、通気空間６を維持するための必要最小限のスペーサー９を使用するだけで良く、スペーサー９の使用を大幅に軽減することができるので、生産効率の向上及び生産コストの軽減を図ることができる。また、外壁パネル１では、サイディング材２の裏面から屋内側へ離間させて、軽量で且つ防火性能の高い無機系断熱材７が設けられているので、外壁パネル１単体での防火性能の向上及び軽量化を図ることができる。
【００５１】
また、外壁パネル１の廃棄時等において、無機系断熱材７を分離する場合には、まずは押圧部８４を無機系断熱材７の屋内側面から離れるように屋内側方向へ弾性変形させて、突起部８５を無機系断熱材７から引き抜く。そして、引掛部８１及び当接部８２を互いに離れる方向へ弾性変形させて、外れ防止部８３の連結片４３との当接状態を解除してから、引掛部８１を屋内側固定片４２から抜き取ることによって断熱材支持部材８を取り外した後、無機系断熱材７を容易に分離することができる。
【００５２】
尚、本発明の実施の形態は上述の形態に限ることなく、本発明の思想の範囲を逸脱しない範囲で適宜変更することができる。
【符号の説明】
【００５３】
１            外壁パネル
２            サイディング材
３            枠材
４１、５１    屋外側固定片
４２、５２    屋内側固定片
４３、５３    連結片
４４、５４    切り起こし部
４５、５５    換気孔
６            通気空間
７            無機系断熱材
８            断熱材支持部材
８１          引掛部
８２          当接部
８３          外れ防止部
８４          押圧部
８５          突起部
９            スペーサー
【図１】
2017082395.tif 000003
【図２】
2017082395.tif 000004
【図３】
2017082395.tif 000005
【図４】
2017082395.tif 000006
【図５】
2017082395.tif 000007
【図６】
2017082395.tif 000008
【図７】
2017082395.tif 000009
【図８】
2017082395.tif 000010